(57)【要約】【課題】錠としての性能を低下させることなく錠の奥行き寸法を減少できる筒状鍵使用のピンタンブラ錠を提供する。【解決手段】ロータの大径円盤部に環状の鍵孔をロータの中心軸線の方向に形成し、ロータの中心軸線に直交する方向に複数個の第１のピン受孔をロータの大径円盤部に放射状に形成し、ロータの中心軸線に直交する方向に複数個の第２のピン受孔を固定本体に放射状に形成し、鍵孔から筒状鍵を抜き取った状態においては、従動ピンの先端を鍵孔に突出させる一方、従動ピンの後端と駆動ピンの先端の当接点を第１のピン受孔内に入り込ませ、筒状鍵の外周面には、従動ピンの後端と駆動ピンの先端の当接点をロータの大径中間部の外周面にまで移動させるキーコード用凹部を、ロータの中心軸線と直交する方向に深さを変更して放射状に複数個形成する。【選択図】図４
2010007306.tif 000002
【特許請求の範囲】
【請求項１】
小径円柱部と大径円盤部をロータの中心軸線に沿って前後に形成し、使用対象物に固着される固定本体に前記ロータを回転可能に収容し、ロータの前記小径円柱部の外周に筒状鍵が挿入される環状の案内用開口部をロータの中心軸線の方向に形成し、ロータの大径円盤部に前記案内用開口部の延長線上において環状の鍵孔をロータの中心軸線の方向に形成し、ロータの中心軸線に直交する方向に複数個の第１のピン受孔をロータの前記大径円盤部に放射状に形成して該第１のピン受孔の内端を前記鍵孔の外側壁面に開口させ、ロータの中心軸線に直交する方向に複数個の第２のピン受孔を前記固定本体に放射状に形成して該第２のピン受孔を前記第1のピン受孔に連通させ、前記第1のピン受孔に従動ピンを収容し、前記第２のピン受孔に駆動ピンと付勢用バネを収容し、前記鍵孔から前記筒状鍵を抜き取った状態においては、前記従動ピンの先端を前記バネの付勢によって前記鍵孔に突出させる一方、前記従動ピンの後端と前記駆動ピンの先端の当接点を前記第１のピン受孔内に入り込ませ、前記筒状鍵の外周面には、前記筒状鍵を前記鍵孔に挿入したとき、前記従動ピンの後端と前記駆動ピンの先端の当接点を前記ロータの前記大径中間部の外周面にまで移動させるキーコード用凹部を、ロータの中心軸線と直交する方向に深さを変更して放射状に複数個形成してある、筒状鍵使用のピンタンブラ錠。
【発明の詳細な説明】
【技術分野】
【０００１】
本発明は、筒状鍵を環状の鍵孔に挿入して従動ピンと駆動ピンの当接点を錠止解除位置に移動させるようにした筒状鍵使用のピンタンブラ錠に関する。
【背景技術】
【０００２】
筒状鍵使用のピンタンブラ錠は、筒状鍵の先端部外周面に切り溝状のキーコード用凹部を放射状に複数個形成するものであり、多くの鍵違いが得られるものとして種々の用途に使用されている。
【０００３】
しかしながら、従動ピンが収容される第１のピン受孔をロータの中心軸線の方向に沿ってロータに形成し、駆動ピンと付勢用バネが収容される第２のピン受孔をロータの中心軸線に沿って固定本体に形成されているため、錠全体としての奥行き寸法が長いものとなっている（特許文献１参照）。
【０００４】
錠の使用対象物の内部空間に余裕があり、内部空間への錠の突出部分の長さを問わない場合には、それでも良いのであるが、使用対象物の内部空間に余裕がないとき等には、錠の奥行き寸法は問題となる。
【０００５】
【特許文献１】実開平5-３０３７６号公報
【発明の開示】
【発明が解決しようとする課題】
【０００６】
本発明の課題は、錠としての性能を低下させることなく錠の奥行き寸法を減少させることができるようにした筒状鍵使用のピンタンブラ錠を提供することである。
【課題を解決するための手段】
【０００７】
本発明の筒状鍵を使用するピンタンブラ錠は、小径円柱部と大径円盤部をロータの中心軸線に沿って前後に形成し、使用対象物に固着される固定本体に前記ロータを回転可能に収容し、ロータの前記小径円柱部の外周に筒状鍵が挿入される環状の案内用開口部をロータの中心軸線の方向に形成し、ロータの大径円盤部に前記案内用開口部の延長線上において環状の鍵孔をロータの中心軸線の方向に形成し、ロータの中心軸線に直交する方向に複数個の第１のピン受孔をロータの前記大径円盤部に放射状に形成して該第１のピン受孔の内端を前記鍵孔の外側壁面に開口させ、ロータの中心軸線に直交する方向に複数個の第２のピン受孔を前記固定本体に放射状に形成して該第２のピン受孔を前記第1のピン受孔に連通させ、前記第1のピン受孔に従動ピンを収容し、前記第２のピン受孔に駆動ピンと付勢用バネを収容し、前記鍵孔から前記筒状鍵を抜き取った状態においては、前記従動ピンの先端を前記バネの付勢によって前記鍵孔に突出させる一方、前記従動ピンの後端と前記駆動ピンの先端の当接点を前記第１のピン受孔内に入り込ませ、前記筒状鍵の外周面には、前記筒状鍵を前記鍵孔に挿入したとき、前記従動ピンの後端と前記駆動ピンの先端の当接点を前記ロータの前記大径中間部の外周面にまで移動させるキーコード用凹部を、ロータの中心軸線と直交する方向に深さを変更して放射状に複数個形成したものである。
【発明の効果】
【０００８】
このように本発明の筒状鍵を使用するピンタンブラ錠では、ロータに形成される第1のピン受孔と固定本体に形成される第２のピン受孔が、ロータの中心軸線と直交する方向に放射状に配置されており、従動ピンの先端を押圧して従動ピンと駆動ピンの当接点をロータの外周面へ移動させるキーコード用凹部が、ロータの中心軸線と直交する方向に深さを変更して筒状鍵の外周面に形成されているため、錠としての性能の低下を招くことなく錠全体としての奥行き寸法を必要十分に減少させることができる。
使用対象物の内部空間への錠の突出部分を減らせるので、錠の適用範囲が広がるものである。
【実施例】
【０００９】
図１から図５に示した実施例では、固定本体１は、円形鍔部２を使用対象物３の前面に突き当て、使用対象物３の取付孔４から背面側に突出した螺子筒部５にナット６を螺合することによって、使用対象物３に固着されている。ロータ７の小径円柱部８の前面は固定本体１の前面と同じ面位置にあり、小径円柱部８の外周に面する固定本体１の内周部に形成された案内用開口部９には、筒状鍵１０の挿入位置決め突起１１に符合した挿入位置決め用切欠１２がその内周壁面に形成されている。また、前記案内用開口部９の内周壁面には挿入位置決め凹部１２から９０度の間隔を置いて挿入位置決め突起１１が通過可能な抜取り用切欠１３が形成されており、筒状鍵１０は９０回転した解錠位置でも抜き取れるようになっている。
【００１０】
ロータ７の大径円盤部１４は、固定本体１の後面に嵌め込み固定した円板状の裏板１５によって固定本体１からの脱出を阻止されている。裏板１５から突出したロータ７の小径軸部１６には、回転角度規制板１７と止め金板（図示していない）が嵌合され、座金板１９とビス２０によってロータ７に固定されている。回転角度規制板１７は、固定本体２の後面に形成された回転位置決め突起（図示していない）と係合して、ロータ７の回転角度を９０度に規制する。止め金板１７は、使用対象物が機器ボックスであれば、ボックス本体側に設けた受金（図示していない）に係脱して、機器ボックスの扉をボックス本体に錠止する。
【００１１】
ロータ７の大径円盤部１４に形成した鍵孔２１は、前記案内用開口部９と同じ形状であり、第１のピン受孔２２を越える深さまで達している。第１のピン受孔２２は大径円盤部１４の厚さの中間部領域に形成され、内端は鍵孔２１の外側壁面に開口し、外端は大径円盤部１４の外周面に開口している。固定本体１に形成した第２のピン受孔２３は、第1のピン受孔２２の延長線上にあり、内端は固定本体１の内周面に開口し、外端は固定本体１の外周面に開口している。
【００１２】
ピンタンブラとして錠要素となる従動ピン２４と駆動ピン２５は断面円形のピンであり、駆動ピン２５の基端に当接する付勢用バネ２６は圧縮コイルバネで構成されている。第２のピン受孔２３の外端はバネ押さえ部材２７によって閉塞されている。従動ピン２４の先端は、筒状鍵１０を鍵孔２１から抜き取った状態では、鍵孔２１の内側壁面に当接している。この鍵孔２１の内側壁面は小径円柱部８の外周面の延長線上にある。
【００１３】
筒状鍵１０が鍵孔２１から抜き取られている施錠状態では、従動ピン２４の基端と駆動ピン２５の先端との当接点は第1のピン受孔２２内に移動しており、駆動ピン２５が第１のピン受孔２２と第２のピン受孔２３に跨って係合しているため、固定本体１に対するロータ７の回転が制止されている。
【００１４】
筒状鍵１０が鍵孔２１に差し込まれたとき、筒状鍵２１の外周面のキーコード用凹部２８が従動ピン２４の先端に当接し、従動ピン２４を外方に押すため、従動ピン２４の基端と駆動ピン２５の先端との当接点がロータ７の大径円盤部１４の外周面まで移動する。これによって固定本体１に対するロータ７の回転制止が解除される。筒状鍵１０を所定方向に回すと、筒状鍵１０の摘み板２９の一部が係合するロータ７の切欠１８を介して回転力が伝達されるので、ロータ７と一体に回転した止め金板は前記受金から離脱した解錠位置に移動する。
【００１５】
図６に示した別の実施例では、ロータ７の大径円盤部１４の第1のピン受孔２２は段付き孔に形成されており、これに対応して従動ピン２４も段付きピンに形成されている。この実施例では、筒状鍵１０を鍵孔２１から抜き取った状態では、従動ピン２４の先端と鍵孔２１の内側壁面との間には隙間が残されている。その他の構成は前記実施例と同様であるので説明は省略する。
なお、上記いずれの実施例においても、ロータ７の大径円盤部１４の厚さを更に減少させ、第1のピン受孔２２を大径円盤部１４の前面部に形成することもできる。
【図面の簡単な説明】
【００１６】
【図１】本発明の一実施例に係る筒状鍵使用のピンタンブラ錠の正面図であり、筒状鍵は抜き取られている。
【図２】図１のＡ−Ａ船断面図である。
【図３】図２のＢ−Ｂ線断面図である。
【図４】図１のピンタンブラ錠に筒状鍵を挿入したときの図２に対応した断面図である。
【図５】図1のピンタンブラ錠に使用する筒状鍵の正面図である。
【図６】本発明の別の実施例に係る筒状鍵使用のピンタンブラ錠の要部断面図である。
【符号の説明】
【００１７】
１  固定本体
２  固定本体の円形鍔部
３  使用対象物
４  使用対象物の取付孔
５  固定本体の螺子筒部
６  ナット
７  ロータ
８  ロータの小径円柱部
９  固定本体に案内用開口部
１０  筒状鍵
１１  筒状鍵の挿入位置決め突起
１２  固定本体の挿入位置決め用切欠
１３  固定本体の抜取り用切欠
１４  ロータの大径円盤
１５  固定本体の裏板
１６  ロータの小径軸部
１７  回転角度規制板
１８  回転力伝達用切欠
１９  座金板
２０  ビス
２１  ロータの大径円盤部の鍵孔
２２  ロータの第１のピン受孔
２３  固定本体の第２のピン受孔
２４  従動ピン
２５  駆動ピン
２６  付勢用バネ
２７  バネ押さえ部材
２８  筒状鍵のキーコード用凹部
２９  筒状鍵の摘み板
【図１】
2010007306.tif 000003
【図２】
2010007306.tif 000004
【図３】
2010007306.tif 000005
【図４】
2010007306.tif 000006
【図５】
2010007306.tif 000007
【図６】
2010007306.tif 000008